(57)【要約】【課題】贈答用、特に御歳暮用のプレミアムギフトとして、小型でコストが嵩まず、年間を通して利用ができ、かつ廃棄に係わる環境に配慮されたプレミアム飾り付カレンダーの提供にある。【解決手段】厚紙でなり偏平状の縁起物ミニチュア品としてのミニチュア角樽６の前面に穿設された額縁状の空隙部４０に複数枚でなるミニチュアカレンダー１００が載置され、前記天部中央に穿設された孔部に小型の水引飾り５０が備えられている角樽形状のプレミアム飾り付カレンダー１とするものである。【選択図】図３
2004017560.tif 000002
【特許請求の範囲】
【請求項１】
厚紙でなり偏平状の縁起物ミニチュア品の前面に穿設された額縁状の空隙部に複数枚で構成されるミニチュアカレンダーが載置され、前記縁起物ミニチュア品の天部中央に穿設された孔部に小型の水引飾りが備えられていることを特徴とするプレミアム飾り付カレンダー。
【請求項２】
厚紙でなる裏板に複数枚で構成されるミニチュアカレンダーが貼着され、該裏板の天部中央に穿設された孔部にもしくは該ミニチュアカレンダーの略中央をくるむように小型の水引飾りが備えられ、該裏板の下部中央より、縁起物ミニチュア品が吊り下げられていることを特徴とするプレミアム飾り付カレンダー。
【発明の詳細な説明】
【０００１】
【発明の属する技術分野】
本発明は、清酒業界等の贈答用プレミアムギフトに関するものであり、特に御歳暮用のプレミアムギフトとしてのプレミアム飾り付カレンダーに関する。
【０００２】
【従来の技術】
従来、清酒業界等の贈答用、特に御歳暮用のプレミアムギフトとして、例えば商品に豪華な水引飾り（台紙付）等をセットアップしたものが知られ、消費者の家庭で、玄関口や床の間等に正月用として飾られているものが主流であった。
【０００３】
【発明が解決しようとする課題】
しかしながら、上記従来の贈答用、特に御歳暮用のプレミアムギフトにおいては、豪華でかつ大型なのでコストが嵩むことと、飾る期間が正月のみと短期間であり、さらに廃棄に関しても環境に配慮されていないという問題点があった。
【０００４】
本発明は、かかる従来技術の問題点を解決するものであり、その課題とするところは、贈答用、特に御歳暮用のプレミアムギフトとして、小型でコストが嵩まず、年間を通して利用ができ、かつ廃棄に係わる環境に配慮されたプレミアム飾り付カレンダーを提供することにある。
【０００５】
【課題を解決するための手段】
本発明に於いて上記課題を達成するために、まず請求項１の発明では、厚紙でなり偏平状の縁起物ミニチュア品の前面に穿設された額縁状の空隙部に複数枚で構成されるミニチュアカレンダーが載置され、前記縁起物ミニチュア品の天部中央に穿設された孔部に小型の水引飾りが備えられていることを特徴とするプレミアム飾り付カレンダーとしたものである。
【０００６】
上記請求項１の発明によれば、ミニチュアカレンダーが、厚紙でなる偏平状の縁起物ミニチュア品の前面の額縁状空隙部に載置され、かつ天部には小型の水引飾りが備えられているプレミアム飾り付カレンダーとしたので、コストが嵩まず、年間を通して利用ができ、かつ廃棄に係わる環境に配慮された吊り下げ型のプレミアム飾り付カレンダーを提供することができる。
【０００７】
また、請求項２の発明では、厚紙でなる裏板に複数枚で構成されるミニチュアカレンダーが貼着され、該裏板の天部中央に穿設された孔部にもしくは該ミニチュアカレンダーの略中央をくるむように小型の水引飾りが備えられ、該裏板の下部中央より、縁起物ミニチュア品が吊り下げられていることを特徴とするプレミアム飾り付カレンダーとしたものである。
【０００８】
上記請求項２の発明によれば、ミニチュアカレンダーが、厚紙でなる裏板に貼着されていて、その天部中央にもしくはミニチュアカレンダーをくるむように、小型の水引飾りが備えられ、その下部中央には、縁起物ミニチュア品が吊り下げられているプレミアム飾り付カレンダーとしたので、コストが嵩まず、年間を通して利用ができ、かつ廃棄に係わる環境に配慮された壁掛け型のプレミアム飾り付カレンダーを提供することができる。
【０００９】
【発明の実施の形態】
以下本発明の実施の形態を図面を用いながら具体的に説明する。
上記請求項１に係る発明のプレミアム飾り付カレンダーにおける厚紙でなる偏平状の縁起物ミニチュア品としては、例えば清酒用の角樽、打出の小槌、お供え餅などが挙げられ、そのうちの清酒用の角樽の事例について具体的に説明すると、例えば図１の展開図に示すように、左側に糊代片（１２）と、上下に略楕円形状の蓋片（１０ａ）と底片（１０ｂ）とがそれぞれ折り線（ａ、ｂ、ｃ）を介して上部に２本の角部（１０ｃ、１０ｄ）を有する角樽形状の後面板（１０）に連設し、該後面板（１０）の右側に折り線（ｄ）を介して上部に２本の角部（１０ｃ、１０ｄ）を有する角樽形状の前面板（１１）が連設し、該前面板（１１）の上下には略楕円形状の蓋片（１１ａ）と底片（１１ｂ）とが折り線（ｅ、ｆ）を介して連設し、その中央には、左右内側に突出している引っかけ片（１４）を有する額縁形状の空隙部（４０）が上下の折り線（ｇ、ｈ）と左右のカット線（ｚ、ｙ）、中央のカット線（ｙ）で形成され、前記前後面板の蓋片（１１ａ、１０ａ）の中央で楕円形状の長手方向に切り込み（２４、２３）が穿設され、前記代片（１２）と後面板（１０）および該後面板（１０）と前面板（１１）を連設する折れ線（ａ、ｄ）の上部で、前記２本の角部（１０ｃ、１０ｄ、１１ｃ、１１ｄ）に相当する位置に長三角形状の差込み孔（２２）と前面板（１１）の左側辺の上部に長三角形状の切り欠き（２２ａ）が穿設されている厚紙でなるブランクを用いて、図３の正面図に示すように、各折り線とカット線に従って折り曲げ、カットし、糊代片および各上下に連設する蓋片（１０ａ、１１ａ）、底片（１０ｂ、１１ｂ）同志を貼着して組み立てる。
【００１０】
続いて図２（ａ）に示すような中央の差込み用スリット（２１）と折り線（ｉ）で連設している把手部（２０）を折り線（ｉ）で折り曲げ、図３に示すように、上記蓋片（１０ａ、１１ａ）の切り込み孔（２３、２４）に差込み、さらに、図２（ｂ）に示すような下部に差込み片（３２）と上部に水引飾り通し用孔（３１）が穿設されている吊り下げ片（３０）を、図３に示すように、上記蓋片（１０ａ、１１ａ）の切り込み孔（２３、２４）と把手部（２０）の差込み用スリット（２１）に差込んで偏平状のミニチュア角樽（６）とする。
【００１１】
上記で得られた偏平状のミニチュア角樽（６）の吊り下げ片（３０）に穿設されている水引飾り通し用孔（３１）に、水引飾り（５０）の紐を通し、さらに上記前面板（１１）の中央の額縁状の空隙（４０）に、左右に突出している引っかけ片（１４）を手前にして、複数枚で構成されているミニチュアカレンダー（１００）を載置して偏平状で角樽形状のプレミアム飾り付カレンダー（１）とするもので、上記水引飾り（５０）の紐を天井等から吊り下げて使用する吊り下げ型のプレミアム飾り付カレンダーである。
【００１２】
また、縁起物のミニチュア品として、打出の小槌の事例について具体的に説明すると、例えば図４の展開図に示すように、上端に糊代片（１２）と、左右に略楕円形状の蓋片（１５ａ）がそれぞれ折り線（ａ、ｂ、ｃ）を介して打出の小槌形状の後面板（１５）に連設し、該後面板（１５）の下端に折り線（ｄ）を介して打出の小槌形状の前面板（１６）が連設し、該前面板（１６）の左右には折り線（ｅ、ｆ）を介して略楕円形状の蓋片（１６ａ）が連設し、その上端中央には、前記後面板（１５）が切り込まれて、水引飾り通し用孔（３１）が穿設されている天片（３３）が連設し、下端中央には、房通し用孔（３４）が穿設されている握り片（３２）が連設し、該前面板（１６）の中央には、左右、下部内側に突出している引っかけ片（１４）を有する額縁形状の空隙部（４０）が、上下の折り線（ｇ、ｈ）と左右のカット線（ｘ、ｚ）および中央のカット線（ｙ）で形成されているブランクを用いて、図５の正面図に示すように、各折り線、カット線に従って折り曲げ、カットし、糊代片および各板の左右に連設する蓋片（１５ａ、１６ａ）同志を貼着して組み立て、偏平状のミニチュア打出の小槌（７）とする。
【００１３】
上記で得られた偏平状のミニチュア打出の小槌（７）の天片（３３）の水引飾り通し用孔（３１）に、小型の水引飾り（５０）の紐を通し、下部の握り片（３２）に穿設されている房通し用孔（３４）には、房（５２）の紐を通し、さらに上記打出の小槌形状の前面板（１６）の中央の額縁状の空隙（４０）に、左右および下端に突出している引っかけ片（１４）を手前にして、複数枚で構成されているミニチュアカレンダー（１００）を載置して偏平状で打出の小槌形状のプレミアム飾り付カレンダー（２）とするもので、上記水引飾り（５０）の紐を天井等から吊り下げて使用する吊り下げ型のプレミアム飾り付カレンダーである。
【００１４】
上記請求項１の発明に係る偏平状のミニチュア角樽（６）およびミニチュア打出の小槌（７）に使用する厚紙としては、例えば坪量３００ｇ／ｍ２　程度のコートボール、ノーコートボール、特殊マニラ等が挙げられ、これらにそれぞれにマッチした印刷が施されて使用され、これらのサイズとしては、例えば図５に示す打出の小槌形状のプレミアム飾り付カレンダー（２）では、前面板（１６）が１６０（横）×１００（縦）ｍｍ、握り片（３２）が７０（横）×４０（縦）ｍｍ、またミニチュアカレンダー（１００）が１００（横）×６０（縦）ｍｍ程度のものが清酒等のプレミアムとして好適な大きさである。これらサイズからミニチュアカレンダー（１００）としては、絵柄等がなく、月毎の日付けだけで構成されている玉カレンダーが好適に採用される。
【００１５】
また、上記請求項２に係る発明のプレミアム飾り付カレンダーとして、例えば図６の正面図に示すように、厚紙でなる裏板（６０）に複数枚で構成されるミニチュアカレンダー（１００）が貼着されていて、この裏板（６０）の天部中央に水引飾り通し用孔（３１）が穿設され、この孔（３１）に小型の水引飾り（５０）の紐が通され、この紐で壁等に掛ける壁掛けタイプのプレミアム飾り付カレンダー（３）とする。さらに裏板（６０）の下部に、例えば縁起物ミニチュア品として、水引飾りの巻物（５４）が吊り下げられているものである。
【００１６】
さらにまた、上記請求項２に係る発明のプレミアム飾り付カレンダーとして、例えば図７の正面図に示すように、厚紙でなる裏板（６０）に複数枚で構成されるミニチュアカレンダー（１００）が貼着されていて、この裏板（６０）の天部中央に壁掛け用孔（３５）が穿設され、このミニチュアカレンダー（１００）をくるむように小型の水引飾り（５０）が備えられていて、さらに裏板（６０）の下部に、例えば縁起物ミニチュア品として、水引飾りの巻物（５４）やしめ縄（５５）が吊り下げられている壁掛けタイプのプレミアム飾り付カレンダー（３）とするものである。
【００１７】
上記請求項２の発明に係る壁掛けタイプのプレミアム飾り付カレンダー（３）の裏板（６０）に使用する厚紙としては、例えば坪量３００ｇ／ｍ２　程度のコートボール、ノーコートボール、特殊マニラ等が挙げられ、これら裏板（６０）のサイズとしては、例えば図６に示す壁掛けタイプのプレミアム飾り付カレンダー（３）では、６０（横）×２００（縦）ｍｍ程度の裏板（６０）で、これに貼着するミニチュアカレンダー（１００）のサイズは、６０（横）×１２０（縦）ｍｍ程度のものが清酒等のプレミアムとして好適な大きさである。
【００１８】
【発明の効果】
本発明は以上の構成であるから、下記に示す如き効果がある。
即ち、上記請求項１に係る発明において、厚紙でなり偏平状の縁起物ミニチュア品の前面に穿設された額縁状の空隙部に複数枚で構成されるミニチュアカレンダーが載置され、前記縁起物ミニチュア品の天部中央に穿設された孔部に小型の水引飾りが備えられているプレミアム飾り付カレンダーとすることによって、コストが嵩まず、年間を通して利用ができ、かつ脱墨等で再利用できる板紙でなるので廃棄に係わる環境に配慮された吊り下げ型のプレミアム飾り付カレンダーを提供できる効果がある。
【００１９】
また、上記請求項２に係る発明において、ミニチュアカレンダーが、厚紙でなる裏板に貼着されていて、その天部中央にもしくはミニチュアカレンダーをくるむように、小型の水引飾りが備えられ、その下部中央には、縁起物ミニチュア品が吊り下げられているプレミアム飾り付カレンダーとしたので、コストが嵩まず、年間を通して利用ができ、かつ廃棄に係わる環境に配慮された壁掛け型のプレミアム飾り付カレンダーを提供できる効果がある。
【００２０】
従って本発明は、清酒業界等の贈答用プレミアムギフトとして、特に御歳暮用のプレミアムギフトとしてのプレミアム飾り付カレンダーとして、優れた実用上の効果を発揮する。
【図面の簡単な説明】
【図１】本発明のプレミアム飾り付カレンダーの一実施の形態を説明する偏平状で角樽形状のプレミアム飾り付カレンダーのブランクの展開図である。
【図２】上記図１の角樽形状のプレミアム飾り付カレンダーのブランクに付随するもので、
（ａ）は、把手片の展開図であり、
（ｂ）は、吊り下げ部の平面図である。
【図３】本発明のプレミアム飾り付カレンダーの一実施の形態を説明する偏平状で角樽形状のプレミアム飾り付カレンダーの正面図である。
【図４】本発明のプレミアム飾り付カレンダーの一実施の形態を説明する偏平状で打出の小槌形状のプレミアム飾り付カレンダーのブランクの展開図である。
【図５】本発明のプレミアム飾り付カレンダーの一実施の形態を説明する偏平状で打出の小槌形状のプレミアム飾り付カレンダーの正面図である。
【図６】本発明のプレミアム飾り付カレンダーの一実施の形態を示すもので、壁掛けタイプの一事例を説明するプレミアム飾り付カレンダーの正面図である。
【図７】本発明のプレミアム飾り付カレンダーの一実施の形態を示すもので、壁掛けタイプの他の事例を説明するプレミアム飾り付カレンダーの正面図である。
【符号の説明】
１‥‥角樽形状のプレミアム飾り付カレンダー
２‥‥打出の小槌形状のプレミアム飾り付カレンダー
３‥‥壁掛けタイプのプレミアム飾り付カレンダー
６‥‥偏平状のミニチュア角樽
７‥‥偏平状のミニチュア打出の小槌
１０‥‥角樽形状の後面板
１０ａ‥‥後面板の蓋片
１０ｂ‥‥後面板の底片
１０ｃ、１０ｄ‥‥角部
１１‥‥角樽形状の前面板
１１ａ‥‥前面板の蓋片
１１ｂ‥‥前面板の底片
１２‥‥糊代片
１４‥‥引っかけ片
１５‥‥打出の小槌形状の後面板
１５ａ‥‥後面板の蓋片
１５ｂ‥‥後面板の底片
１６‥‥打出の小槌形状の前面板
１６ａ‥‥前面板の蓋片
１６ｂ‥‥前面板の底片
２０‥‥把手部
２２‥‥三角形状の差込み孔
２２ａ‥‥三角形状の切り欠き
２３、２４‥‥切り込み
３０‥‥吊り下げ片
３１‥‥水引飾り通し用孔
３２‥‥握り片
３３‥‥天片
３４‥‥房通し用孔
３５‥‥壁掛け用孔
４０‥‥額縁形状の空隙
５０‥‥水引飾り
５４‥‥水引飾りの巻物
５２‥‥房
５５‥‥しめ縄
６０‥‥裏板
１００‥‥ミニチュアカレンダー
ａ，ｂ，ｃ，ｄ，ｅ，ｆ，ｇ，ｈ，ｉ‥‥折り線
ｘ，ｙ，ｚ‥‥カット線
【図１】
2004017560.tif 000003
【図２】
2004017560.tif 000004
【図３】
2004017560.tif 000005
【図４】
2004017560.tif 000006
【図５】
2004017560.tif 000007
【図６】
2004017560.tif 000008
【図７】
2004017560.tif 000009